(57)【要約】【課題】  カラー・モノクロページの混在する印刷ジョブデータのＮｉｎ１印刷における印刷コストおよび印刷速度を向上させる。【解決手段】  印刷ジョブデータを解析し、カラー連続部とモノクロ連続部を検出する。Ｎｉｎ１印刷された場合の印刷データを構成する論理ページ上の物理ページの区切りと、カラーおよびモノクロ連続部分を比較し、またがっている場合には白紙ページを挿入する、あるいは以降のページより同じ属性のページを入れ替えることにより、物理ページ上に配置される論理ページが同じ属性になるよう再配置し、結果として物理カラーページ数を減少させることにより印刷コストおよび印刷速度を向上させる。【選択図】  図５
2006159845.tif 000002
【特許請求の範囲】
【請求項１】
ユーザからの設定項目を対話的に設定できるユーザインターフェイスと、
前記ユーザからの設定項目を記憶する記憶装置と、
印刷ジョブデータを受信する入力装置と、
前記入力装置を介して、印刷ジョブデータを入力する入力手段と、
前記入力された印刷ジョブデータを構成する２ページ以上の論理ページを１ページの物理ページ上に縮小して配置して印刷する、Ｎｉｎ１印刷機能と、
前記入力された印刷ジョブデータを構成する論理ページが、カラーの論理ページであるかモノクロの論理ページであるかを判断する手段と、
前記複数の論理ページのうち、カラーの論理ページおよびモノクロの論理ページが１つ以上連続する連続部分を検出する検出手段と、
前記複数の論理ページのうち、カラーの論理ページおよびモノクロの論理ページの連続する部分の間に１枚以上の適切な数の白紙ページを挿入して再構成する手段と、
前記再構成された印刷ジョブデータを構成する複数の論理ページを、１枚の物理ページ上に配置する配置手段と、
を有することを特徴とする印刷装置。
【請求項２】
前記論理ページの再配置は前記ユーザインターフェイスを介してユーザより設定された設定値に基づいて行われることを特徴とする請求項１記載の印刷装置。
【請求項３】
前記Ｎｉｎ１印刷機能において、前記印刷ジョブデータを構成する２ページ以上の論理ページを複数の物理ページの上に縮小して配置した結果発生する、総物理ページ数に配置される論理ページ数の剰余ページ数を取得する手段をさらに備え、
前記白紙ページの挿入数は前記論理ページの剰余ページ数を超えないよう制御することを特徴とする請求項１記載の印刷装置。
【請求項４】
前記請求項３は、前記ユーザインターフェイスを介してユーザより設定された設定値に基づいて行われることを特徴とする請求項１の印刷装置。
【請求項５】
前記Ｎｉｎ１印刷機能の論理ページにおける物理ページの区切り個所を検出する検出手段と、
前記カラーの論理ページおよびモノクロの論理ページの連続部検出手段により検出された連続部区切りと、前記Ｎｉｎ１印刷機能の物理ページ区切りを比較し、差分ページ数を算出する比較手段と、
をさらに備え、
前記白紙ページを挿入する再構成手段における白紙ページ数は、前記比較手段により算出された差分ページに基づいて決定する手段を有することを特徴とする、請求項１記載の印刷装置。
【請求項６】
ユーザからの設定項目を対話的に設定できるユーザインターフェイスと、
前記ユーザからの設定項目を記憶する記憶装置と、
印刷ジョブデータを受信する入力装置と、
前記入力装置を介して、印刷ジョブデータを入力する入力手段と、
前記入力された印刷ジョブデータを構成する２ページ以上の論理ページを１ページの物理ページ上に縮小して配置して印刷する、Ｎｉｎ１印刷機能と、
前記入力された印刷ジョブデータを構成する論理ページが、カラーの論理ページであるかモノクロの論理ページであるかを判断する手段と、
前記複数の論理ページのうち、カラーの論理ページおよびモノクロの論理ページが１つ以上連続する連続部分を検出する検出手段と、
前記複数の論理ページのうち、カラーの論理ページおよびモノクロの論理ページの連続する部分の後部に、１枚以上の適切な数の同属性の論理ページを、当該連続部より後部に位置する同属性の連続部より入れ替えて挿入し、再構成する手段と、
前記再構成された印刷ジョブデータを構成する複数の論理ページを、１枚の物理ページ上に配置する配置手段と、
を有することを特徴とする印刷装置。
【請求項７】
前記論理ページの再配置は前記ユーザインターフェイスを介してユーザより設定された設定値に基づいて行われることを特徴とする請求項６記載の印刷装置。
【請求項８】
ユーザからの設定項目を対話的に設定できるユーザインターフェイスと、
前記ユーザからの設定項目を記憶する記憶装置と、
印刷ジョブデータを受信する入力装置と、
前記入力装置を介して、印刷ジョブデータを入力する入力手段と、
前記入力された印刷ジョブデータを構成する２ページ以上の論理ページを１ページの物理ページ上に縮小して配置して印刷する、Ｎｉｎ１印刷機能と、
前記入力された印刷ジョブデータを構成する論理ページが、カラーの論理ページであるかモノクロの論理ページであるかを判断する手段と、
前記複数の論理ページのうち、カラーの論理ページあるいはモノクロの論理ページを並べ替え、連続する複数のカラーの論理ページからなる連続分と、連続する複数のモノクロの論理ページからなる連続部が、それぞれ１つずつのみ存在するよう再構成する手段と、
前記再構成された印刷ジョブデータを構成する複数の論理ページを、１枚の物理ページ上に配置する配置手段と、
を有することを特徴とする印刷装置。
【請求項９】
前記論理ページの再配置は前記ユーザインターフェイスを介してユーザより設定された設定値に基づいて行われることを特徴とする請求項８記載の印刷装置。
【請求項１０】
連続する複数のカラーの論理ページからなる連続分と、連続する複数のモノクロの論理ページからなる連続部の順序は、前記ユーザインターフェイスを介してユーザより設定された設定値に基づいて行われることを特徴とする請求項８記載の印刷装置。
【発明の詳細な説明】
【技術分野】
【０００１】
本発明は、印刷装置に関し、該印刷装置の制御方法および該印刷装置に実行させる制御プログラムに関する。
【背景技術】
【０００２】
従来より、一枚の物理ページ上にNページの論理ページを縮小して配置する、Nin1プリント機能を有する印刷装置が存在する。この機能を使うことにより、印刷に使用する紙数がN分の１に減少され、さらに両面印刷と組み合わせることにより２N分の１に紙数を減少することができるため、特にオフィス等の環境において盛んに利用されている。
【０００３】
また、近年オフィス等の環境において利用されるドキュメントは、カラーページを含むドキュメントが多くなってきている。この傾向にあわせ、オフィスにおける印刷装置もカラー印刷のできる印刷装置が増えてきている。
【特許文献１】特開平８−２０５７号公報
【発明の開示】
【発明が解決しようとする課題】
【０００４】
しかしながら、カラーページを印刷するためのコストは、モノクロページを印刷するコストと比べて割高である。また、特にカラーページをC（シアン）、M（マゼンタ）、Y（イエロー）およびK（ブラック）の４色それぞれの現像工程を別々に行う、4ドラム式の印刷装置においては、印刷速度の点においても、カラーページはモノクロページに対しておよそ４倍劣っている。
【０００５】
図1は、従来の４ドラム式カラー印刷装置におけるNin1プリント機能の論理ページ配置と印刷コストおよび印刷速度を説明する図である。
【０００６】
上段は、印刷を行おうとする元データの例である。2ページ目と3ページ目が、カラーのオブジェクトを含むカラーページになっているドキュメントである。
【０００７】
下段は、Nin1プリント機能の論理ページ配置を表す図である。論理ページ番号の順番にしたがって、物理ページ上に各論理ページが配置されている。
【０００８】
ここで、モノクロページの一枚あたりの印刷コストを１としたときのカラーページの一枚あたりの印刷コストを４と仮定する。
【０００９】
元データを、Nin1プリント機能を使わずに印刷した場合、その合計コストは
モノクロページ：  3ページ  ×  コスト１  ＝  ３
カラーページ：  ２ページ  ×  コスト４  =  ８
となり、合計で１１のコストが必要となる。
【００１０】
一方で2in1プリント機能を使用した場合、図1下段のように
モノクロページ：  １ページ  ×  コスト１  =  １
カラーページ：  ２ページ  ×  コスト４  =  ８
で、合計９のコストが必要となる。
【００１１】
よって、2in1で印刷した場合のコストは通常印刷のおよそ１８％のコストダウンになるのみである。
【００１２】
同様に、モノクロページの一枚あたりの印刷速度を１としたときのカラーページの一枚あたりの印刷速度を４としたときも、同様に2in1時の印刷速度が通常印刷時のわずか１８％速くなるのみである。つまり、Nin1印刷においては、必ずしも印刷コストおよび印刷速度がN分の１になるわけではない。
【００１３】
この例ではカラーページのコストがモノクロページの4倍と仮定しているが、実際は4倍以上に設定されている印刷装置も少なくない。速度面においても、印刷装置のカラー・モノクロモード間の遷移処理を考慮すると、実際にはカラーページの印刷速度はモノクロページの4倍以上かかってしまう印刷装置もすくなくない。
【００１４】
以上の例にあげたように、印刷データによっては、印刷コスト面においても、印刷速度面においても、Nin1プリント機能を使用しても期待するほどの効果を得ることが困難な状況が想定される。
【課題を解決するための手段】
【００１５】
上記課題を解決するため、本発明では、Ｎｉｎ１プリント機能における論理ページの配置を操作し、従来ページ番号順に連続して配置されていた論理ページに対し、適当な数の白紙ページを挿入することにより、１物理ページ上にできる限り論理カラーページあるいはモノクロページをまとめるよう配置する。これにより、総物理ページ数における物理カラーページ数を減らし、結果として印刷コストおよび印刷速度を向上させる。かつ、元ドキュメントのページ順序は崩さないため、読みやすさも同時に確保する。
【００１６】
さらに、ＰＯＤ（Ｐｒｉｎｔ  Ｏｎ  Ｄｅｍａｎｄ）等の環境で、Ｎｉｎ１プリントされた物理ページが裁断され、再配置されること場合を前提にして、前記適当な白紙ページを挿入する代わりに、同じカラー属性（カラーページかモノクロページ）の論理ページで入れ替えることにより、同様に論理カラーページをまとめるよう配置することにより、総物理ページ数における物理カラーページ数を減らし、結果として印刷コストおよび印刷速度を向上させる。
【発明の効果】
【００１７】
本発明によれば、例えば、Ｎｉｎ１プリント機能における印刷コストおよび印刷速度を、処理対象となるデータがカラー・モノクロページの混在する印刷ジョブデータであっても、向上させることが出来る。
【発明を実施するための最良の形態】
【００１８】
（第１の実施の形態）
以下、本発明の実施の形態を、図面を参照して説明する。
【００１９】
図2は、本発明の実施の形態の印刷装置の構成を示す概略図である。
【００２０】
印刷装置２０１は複合型印刷装置であり、プリンタ機能のみならず、スキャナ２０５からの入力画像を基にコピー機能も有する印刷装置である。コントローラ２０３は、印刷装置２０１の各内部モジュールを制御する中央制御装置である。ネットワークインターフェイス２０４は、コントローラ２０３の制御下において、外部ネットワーク２０７を介して印刷装置の外部よりデータを受信し、その受信データをコントローラ２０３に受け渡す役割を持つ。スキャナ２０５は、入力された光学画像データに対しＡ／Ｄ変換を行い、ディジタル画像データとしてコントローラ２０３に受け渡す役割を持つ。ユーザインターフェイス２０６は、不図示のキーパッドおよび画像表示装置からなり、コントローラ２０３の制御下において、ユーザに対して視覚的に印刷装置２０１の状態を図示することができ、かつユーザの入力を受信することができる装置である。
【００２１】
プリンタエンジン２０２は、コントローラ２０３から画像データを受信し、物理ページ上にトナーで画像データを現像し、転写をおこなうことにより印刷を実現する装置である。
【００２２】
図3は、図2におけるコントローラ２０３の内部構造を示す概略図である。
【００２３】
システムバス３０１に、外部モジュールからの入力を受信する入力インターフェイス３０２、中央処理装置ＣＰＵ３０３、記憶装置であるハードディスクドライブ３０４、RAM３０６および外部モジュールに対する出力を司る出力インターフェイス３０５が接続された構成をなす。
【００２４】
図4は、本発明における印刷装置の、Ｎｉｎ１プリント最適配置を設定するユーザインターフェイス２０６の画面構成例である。タッチパネル４０１に表示された設定項目４０２−４０５に対応するボタン４０６−４１３を押下することにより、それぞれの項目を設定することができる。
【００２５】
設定項目４０２は、Ｎｉｎ１プリント時の最適配置を行うか否かを設定することができる。ユーザは、最適配置を行う場合は「する」ボタン４０５を押し、そうでない場合は「しない」ボタン４０６を押す。ここで、「しない」ボタン４０６が押された場合には、サブメニューである設定項目４０３、４０４および４０５は無効になるため、ボタン４０８−４１３はグレイアウトされる。
【００２６】
設定項目４０３は、設定項目４０２においてＮｉｎ１プリント時の最適配置が行われると設定された場合において、最適配置の結果全体の紙数、つまり物理ページ数が増加することを許可するか否かをボタン４０８および４１１により設定する。
【００２７】
設定項目４０４は、設定項目４０２においてＮｉｎ１プリント時の最適配置が行われると設定された場合、ページの転置を許可するか否かをボタン４０９および４１２により設定する。
【００２８】
設定項目４０５は、４０２においてＮｉｎ１プリント時の最適配置が行われると設定された場合において、カラーページとモノクロページの完全分離印刷を許可するか否かをボタン４１０および４１３により設定する。
【００２９】
設定項目４１９は、設定項目４０５のサブメニューであって、カラーページとモノクロページを完全に分離する場合において、そのどちらを先に出力するかをボタン４２０および４２１を用いて設定することができる。
【００３０】
設定ボタン４１４は、上記４０２−４０５および４１９の設定項目の設定を確定し、RAM３０６もしくはHDD３０４のような記憶装置に設定値を記憶する。キャンセルボタン４１５は、上記の設定を中止し、前記記憶装置の設定値は変更を行わない。
【００３１】
図5は、本発明の制御手段を説明するフローチャートである。
【００３２】
ステップS501において、コントローラ２０３が入力モジュールであるネットワークインターフェイス２０４あるいはスキャナ２０５から印刷ジョブを受信し、ジョブが開始される。
【００３３】
ステップS502において、コントローラ２０３は、入力された印刷ジョブの１物理ページ上の論理ページ数Nを取得する。ここで、印刷ジョブにNin1プリントが設定されていない場合は、前記論理ページ数は１であると取得される。
【００３４】
ステップS503において、コントローラ２０３は、入力された印刷ジョブを解析し、カラーページとモノクロページが混在したジョブであるかどうかを判定する。ここで、当該データがカラーのみ、もしくはモノクロのみのデータであることが判別された場合においては、ステップS515において通常のNin1プリントにおける論理ページ配置を行う。ステップS517において、論理ページを物理ページ上に配置して描画（レンダリング）を行い、ステップS518において前記描画データをプリンタエンジン２０２に送信し、S519においてプリンタエンジン２０２が紙面上に前記描画データを現像し、印刷を行い、ステップS520でジョブ終了する。
【００３５】
ステップS503において、入力された印刷ジョブがカラーとモノクロが混在するデータあると判断された場合、ステップS504において、記憶装置３０４あるいは３０６にほぞんされている、前記図4における設定手段により設定された設定値を参照する。ここで、前記記憶された設定値が、設定項目４０３に対応する、Nin1最適配置をしないように設定されている場合は、ステップS515において通常のNin1プリントにおける論理ページ配置を行い、以下前記のとおりの印刷ステップを実行する。
【００３６】
前記記憶された設定値がNin1最適配置をするように設定されている場合は、 ステップS505およびS506において、それぞれ前記設定項目４０４および４０５に対応する設定値を参照する。ここで、両設定値がそれぞれ  しない  に設定されている場合、ステップS507において、物理ページ数に対する論理ページ数の剰余を計算する。
【００３７】
その剰余ページ数は
mod({元データの論理ページ数}, {物理ページ上の論理ページ数})
で与えられる。ここでmod(a, b)は、aをbで割った余りの数（modulo）である。
【００３８】
次にステップS508において、入力された印刷ジョブデータよりカラー・モノクロの連続部および区切り、ステップS502より物理ページ区切りを検出する。
【００３９】
図6は、カラー・モノクロ混在データの一例で、カラー・モノクロ連続部および区切り、ページ区切りとの関係および、ページ転置なしの最適配置を図示したものである。
【００４０】
この例では、カラー・モノクロ連続部および区切りは
カラー：  ２−３ページ
モノクロ：  １、４−５ページ
区切り：１，２ページ間、３，４ページ間
と検出される。
【００４１】
次にステップS509において、前記ステップS508において検出された連続部区切りと、同じく前記ステップS508において検出された物理ページ区切りを比較し、物理ページ区切りが連続部をまたぐかどうか判断する。ここでまたがない場合は、すなわち物理ページ区切りとカラー・モノクロ区切りが一致していることから、配置の移動を行う必要がない。ステップS516に移り、次の連続部について同様にステップS509からはじまるループ処理を行う。
【００４２】
またぐ場合、ステップS510において、連続部区切りと物理ページを比較し、その差分ページ数を計算する。次にステップS511において、物理ページ区切りよりも以前に、物理ページ区切りと一致しない連続部区切りがある場合において、連続部区切りの直後を挿入位置とし、前記差分ページを挿入する白紙ページ数として決定する。
【００４３】
図6の例においては、最初のページ区切りが2番目の連続部をまたいでいることから、物理ページ区切り以前の連続部区切りを挿入位置とし、当該挿入位置から当該物理ページ区切りまでのページ数１が挿入される白紙ページ数として決定する。
【００４４】
ステップS512において、前記設定項目４０３の設定値を確認し、紙数の増加が許可されているかどうか判断する。ここで許可されている場合には、次ステップS514において、前記ステップS511で決定した白紙ページ数をおなじく前記ステップS511で決定した白紙ページ位置挿入を実行する。
【００４５】
図7は、カラー・モノクロ混在データの一例で、設定項目４０３において、紙数の増加が許可されている場合の配置を図示したものである。
【００４６】
許可されていない場合においては、ステップS513において、ステップS511において決定された白紙ページ数が、前記ステップS507において計算された剰余ページ数と比較する。ここで前記剰余ページ数以内に前記白紙ページ数が収まる場合は、総物理ページ数の増加が発生しないので、ステップS514において前記決定された白紙ページ数を前記決定された白紙ページ挿入位置に挿入を実行し、ステップS516に移り、次の連続において同様にステップS509からはじまるループ処理を行う。
【００４７】
前記剰余ページ数以内に前記白紙ページ数が収まらない場合は、前記設定項目４０３において紙数の増加が許可されていないため、白紙ページの実行は行わず、ステップS516に移り、次の連続において同様にステップS509からはじまるループ処理を行う。
【００４８】
以降は通常のNin1プリント配置と同様に、S517において、論理ページを物理ページ上に配置して描画（レンダリング）を行い、ステップS518において前記描画データをプリンタエンジン２０２に送信し、S519においてプリンタエンジン２０２が紙面上に前記描画データを現像し、印刷を行い、ステップS520でジョブ終了する。
【００４９】
以上の処理を、ステップS508により検出された連続部数回、ステップS509からはじまるループ処理をおこなうことにより、連続部の先頭を物理ページの先頭にまとめ、ページの順番をくずさずに配置することができる。
【００５０】
図５ａは、ステップＳ５０５において、ページの転置が許可されている場合のフローチャートである。
【００５１】
ステップＳ５ａ１において、ステップＳ５０８と同様に、入力された印刷ジョブデータよりカラー・モノクロの連続部および区切り、ステップS502より物理ページ区切りを検出する。
【００５２】
次にステップＳ５ａ２において、前記ステップＳ５ａ１において検出された連続部区切りと、同じく前記ステップＳ５ａ１において検出された物理ページ区切りを比較し、物理ページ区切りが連続部をまたぐかどうか判断する。ここでまたがない場合は、ステップＳ５０９と同様に、ステップＳ５ａ７に移り、次の連続部について同様にステップＳ５ａ２からはじまるループ処理を行う。
【００５３】
またぐ場合、ステップＳ５ａ３において、ステップＳ５１０と同様に、連続部区切りと物理ページを比較し、その差分ページ数を計算する。次にステップＳ５ａ５もステップＳ５１１と同様に、物理ページ区切りよりも以前に、物理ページ区切りと一致しない連続部区切りがある場合において、連続部区切りの直後を挿入位置とし、前記差分ページを挿入するページ数として決定する。
【００５４】
ステップＳ５ａ５において、ステップＳ５１２−Ｓ５１４とは異なり、挿入位置以前のページのカラーと同じカラーのページを探索する。見つかった場合は、ステップＳ５ａ６において、その発見した連続部から前記差分ページ数を抜き出し、前記挿入位置に挿入する。残りのページは順次シフトさせ、転置を行う。ステップＳ５ａ７に移り、すべての連続部においてステップＳ５ａ２から始まるループ処理をおこなった結果、ステップＳ５１７以降において同様に印刷を行い、終了する。
【００５５】
図8は、カラー・モノクロ混在データの一例で、設定項目４０４において、ページの転移が許可されている場合の配置を図示したものである。
【００５６】
この例では、論理ページの４ページ目が1ページ目の次に転置され、残りのページが後方にシフトする。
【００５７】
図５ｂは、ステップＳ５０６において、ページの完全分離が設定されている場合のフローチャートである。
【００５８】
図９は、カラー・モノクロ混在データの一例で、設定項目４１９において、ページの完全分離が設定されている場合の配置を図示したものである。
【００５９】
ステップＳ５ｂ１において、設定項目Ｓ４１９の印刷順序が、カラーから印刷するかモノクロから印刷されるように設定されているかを判断する。
【００６０】
カラーからに設定されていた場合、ステップＳ５ｂ２において、すべての論理ページにおいて、カラーを先頭から順に、その次にモノクロを順に並び替える。逆にモノクロが先頭に設定されていた場合、ステップＳ５ｂ３において同様に、モノクロを先頭から順に、その次にカラーを順に並び替える。その後は他の設定と同様にステップＳ５１７以降において印刷を行い、終了する。
【００６１】
この結果を、前記発明が解決しようとする課題においての仮定と同様に、コストおよび印刷速度について比較を行うと、従来のNin1プリント機能により印刷された場合、図1下段のように
モノクロページ：  １ページ  ×  １  =  １
カラーページ：  ２ページ  ×  ４  =  ８
で、合計９のコストおよび印刷速度となる。
【００６２】
一方、図６下段のように、本発明のNin1最適配置をおこなった場合
モノクロページ：  2ページ  ×  １  ＝  ２
カラーページ：  1ページ  ×  ４  ＝  ４
の、合計６のコストおよび印刷速度で印刷することができ、従来のNin1でおよそ１８％のコストおよび印刷速度の向上だったものが、およそ４５％の向上と、２７％向上させることができる。特にページの転置をしない場合は、ページの順番がかわらないため、読みやすさも同時に確保できる。
【００６３】
図7の例では、従来のＮｉｎ１プリント機能では
モノクロページ：  ０ページ  ×  １  =  ０
カラーページ：  2ページ  ×  ４  =  ８
の、合計８のコストおよび印刷速度であったものが、
モノクロページ：  ２ページ  ×  １  ＝  ２
カラーページ：  １ページ  ×  ４  ＝  ４
の、合計６のコストで印刷することができ、従来の２５％向上させることができる。
【００６４】
同様に、図8および図9の例は、従来のおよそ３３％向上させることができる。
【００６５】
ページの転置を許可する場合は、読みやすさという点では劣るものの、たとえばＮｉｎ１で印刷した物理ページを裁断するような用途の場合はコストおよび印刷速度を従来よりも早くできる利点がある。
【００６６】
（第２の実施の形態）
第1の実施の形態においては、複合型印刷装置を用いて説明しているが、単機能型印刷装置、たとえばページプリンタ、ディジタル複写機等においても同じ機能を実現できることは言うまでもない。
【００６７】
（第３の実施の形態）
第１の実施の形態においては、印刷装置の有するユーザインターフェイスを介して、ユーザの設定を受け付ける手法について説明しているが、これはたとえば印刷装置と接続されたホストコンピュータ上におけるユーザインターフェイスを介して行われても同じ効果を実現できることは言うまでもない。
【図面の簡単な説明】
【００６８】
【図１】従来の４ドラム式カラー印刷装置におけるNin1プリント機能の論理ページ配置と印刷コストおよび印刷速度を説明する図である。
【図２】本発明の実施の形態の印刷装置の構成を示す概略図である。
【図３】図2におけるコントローラ２０３の内部構造を示す概略図である。
【図４】本発明における印刷装置の、Ｎｉｎ１プリント最適配置を設定するユーザインターフェイス２０６の画面構成例である。
【図５】本発明の制御手段を説明するフローチャートである。図５ａはステップＳ５０５において、ページの転置が許可されている場合のフローチャートである。図５ｂはステップＳ５０６において、ページの完全分離が設定されている場合のフローチャートである。
【図６】カラー・モノクロ混在データの一例で、カラー・モノクロ連続部および区切り、ページ区切りとの関係および、ページ転置なしの最適配置を図示したものである。
【図７】カラー・モノクロ混在データの一例で、設定項目４０３において、紙数の増加が許可されている場合の配置を図示したものである。
【図８】カラー・モノクロ混在データの一例で、設定項目４０４において、ページの転移が許可されている場合の配置を図示したものである。
【図９】カラー・モノクロ混在データの一例で、設定項目４１９において、ページの完全分離が設定されている場合の配置を図示したものである。
【図１】
2006159845.tif 000003
【図２】
2006159845.tif 000004
【図３】
2006159845.tif 000005
【図４】
2006159845.tif 000006
【図５】
2006159845.tif 000007
【図６】
2006159845.tif 000008
【図７】
2006159845.tif 000009
【図８】
2006159845.tif 000010
【図９】
2006159845.tif 000011